(57)【要約】      （修正有）【課題】落下した際にレンズへの損傷を防止できるレンズ鏡筒を提供する。【解決手段】レンズ鏡筒は、第１のフード１６と、第２のフード１８を備え、カメラ本体に取り付けられる固定筒２と、固定筒の内側に配置され、固定筒に対して光軸方向に移動可能な移動筒４と、を更に備え、移動筒の被写体側の端部には、複数のレンズ群のうちの一のレンズ群が取り付けられており、第１のフードは、固定筒の被写体側の端部に取り付けられ、第２のフードは、移動筒の被写体側の端部に取り付けられている。【選択図】図２
2016102898.tif 000002
【特許請求の範囲】
【請求項１】
第１のフードと、
前記第１のフードの内側に配置された第２のフードと、を備えている、
ことを特徴とするレンズ鏡筒。
【請求項２】
前記第２のフードは、前記第１のフードに対して光軸方向に移動可能に設けられている、
請求項１に記載のレンズ鏡筒。
【請求項３】
カメラ本体に取り付けられる固定筒と、
前記固定筒の内側に配置され、前記固定筒に対して光軸方向に移動可能な移動筒と、を更に備え、
前記移動筒の被写体側の端部には、複数のレンズ群のうちの一のレンズ群が取り付けられており、
前記第１のフードは、前記固定筒の被写体側の端部に取り付けられ、
前記第２のフードは、前記移動筒の被写体側の端部に取り付けられている、
請求項１又は２に記載のレンズ鏡筒。
【請求項４】
前記移動筒が被写体側に移動した際に、
前記第２のフードの前端縁は、前記第１のフードの前端縁よりもカメラ本体側に位置する、
請求項３に記載のレンズ鏡筒。
【請求項５】
前記第１のフードと前記第２のフードとの間に、防塵材が配置されている、
請求項１から４の何れか１項に記載のレンズ鏡筒。
【請求項６】
前記防塵材は、前記第２のフードの外周に取り付けられた前方の防塵材及び後方の防塵材により構成され、
前記前方の防塵材は、光軸方向長さが前記後方の防塵材よりも大きく、
前記前方の防塵材の外周面は、前記第１のフードの内周面に当接しておらず、
前記後方の防塵材の外周面は、前記第１のフードの内周面に当接している、
請求項５に記載のレンズ鏡筒。
【請求項７】
前記第２のフードの前端部は、前記第１のフードの前端部の縁形状と等しい縁形状である、
請求項１から６の何れか１項に記載のレンズ鏡筒。
【請求項８】
請求項１から７の何れか１項に記載のレンズ鏡筒を備えている、
ことを特徴とする撮像装置。
【発明の詳細な説明】
【技術分野】
【０００１】
本発明は、レンズ鏡筒に関し、特に、レンズフードを有するレンズ鏡筒、及び、そのようなレンズ鏡筒を備える撮像装置に関する。
【背景技術】
【０００２】
従来より、レンズ鏡筒の先端にレンズフードと呼ばれる円筒状の遮光部材を設けることが行われている（例えば、特許文献１参照）。レンズフードは、撮影用レンズに不要な光線が入射するのを防止するために設けられている。
【０００３】
このようなレンズフードを取り付けた状態で、レンズ鏡筒を誤って落下させた場合には、レンズフードが地面と衝突する。このため、レンズ鏡筒の先端に取り付けられたレンズフードにより、地面とレンズとが衝突するのを防止し、レンズを保護することが考えられる。
【先行技術文献】
【特許文献】
【０００４】
【特許文献１】特開２００６−２８４７６２号公報
【発明の概要】
【発明が解決しようとする課題】
【０００５】
しかしながら、近年、広角レンズでは、レンズ鏡筒の先端側に取り付けられる第１レンズ群に非常に大径の重量の大きなレンズが用いられることがある。このような広角レンズのレンズ鏡筒を落下した場合には、レンズの重量が大きいため、レンズフードが破損又は変形し、レンズが地面と接触して損傷してしまう虞がある。
【０００６】
本発明は、上記の課題に鑑みなされたものであり、その目的は、レンズ鏡筒が落下した際にレンズの損傷を防止できるようにすることである。
【課題を解決するための手段】
【０００７】
本発明のレンズ鏡筒は、第１のフードと、第１のフードの内側に配置された第２のフードと、を備えている、ことを特徴とする。
【０００８】
上記構成によれば、第１のフード及第２のフードからなる二重フード構造を備えるため、レンズ鏡筒が落下した際に第１のフード及び第２のフードの２つのフードによりレンズを保護することができるため、レンズ鏡筒の落下によるレンズの損傷を防止することができる。
【０００９】
また、本発明において、好ましくは、第２のフードは、第１のフードに対して光軸方向に移動可能に設けられている。
【００１０】
また、本発明において、好ましくは、カメラ本体に取り付けられる固定筒と、固定筒の内側に配置され、固定筒に対して光軸方向に移動可能な移動筒と、を更に備え、移動筒の被写体側の端部には、複数のレンズ群のうちの一のレンズ群が取り付けられており、第１のフードは、固定筒の被写体側の端部に取り付けられ、第２のフードは、移動筒の被写体側の端部に取り付けられている。
【００１１】
上記構成によれば、第２のフードは、移動筒の光軸方向の移動に伴って光軸方向に移動する。これにより、第２のフード移動筒に取り付けられたレンズ群と共に光軸方向に移動することができるため、より効果的にレンズの損傷を防止することができる。
【００１２】
本発明において、好ましくは、第１のフードと移動筒第２のフードとの間に、防塵材が配置されている。さらに、本発明において、好ましくは、防塵材は、第２のフードの外周に取り付けられた前方（被写体側）の防塵材及び後方（カメラ本体側）の防塵材により構成され、前方の防塵材は、光軸方向長さが後方の防塵材よりも大きく、前方の防塵材の外周面は、第１のフードの内周面に当接しておらず、後方の防塵材の外周面は、第１のフードの内周面に当接している。
【００１３】
上記構成によれば、ズーミング操作の際の抵抗を大きくすることなく、第１のフード及び第２のフードの隙間から砂やほこりがレンズ鏡筒内部に入りこむのを防止できる。
【００１４】
また、本発明において、好ましくは、第２のフードの前端部は、第１のフードの前端部の縁形状と等しい縁形状である。さらに、本発明において好ましくは、移動筒が被写体側に移動した際に、第２のフードの前端縁は、第１のフードの前端縁よりもカメラ本体側に位置する。
【００１５】
上記構成によれば、第２のフードがレンズに入射する必要な光線を遮ってしまうことがないため、光学的性能を損ねることなく、レンズ鏡筒に第２のフードを設けることができる。
【００１６】
本願発明の撮像装置は、上記のレンズ鏡筒を備えている。
【発明の効果】
【００１７】
本発明によれば、レンズ鏡筒が落下した際のレンズの損傷を防止することができる。
【図面の簡単な説明】
【００１８】
【図１】本発明の一実施形態のレンズ鏡筒を示す斜視図であり、望遠状態であるレンズ鏡筒を示す。
【図２】図１に示すレンズ鏡筒の光軸方向断面図であり、上半分は広角状態を示し、下半分は望遠状態を示す。
【図３】図１に示すレンズ鏡筒の内側フード及び外側フードの被写体側端部を拡大して示す断面図である。
【図４】レンズ鏡筒を落下させた場合に作用する応力を説明するための図であり、図中上半分は本実施形態のレンズ鏡筒を示し、図中下半分は従来のレンズ鏡筒を示す。
【発明を実施するための形態】
【００１９】
（レンズ鏡筒の構成の概要）
以下、本発明のレンズ鏡筒の一実施形態を図面を参照しながら説明する。
図１は、本実施形態のレンズ鏡筒１を示す斜視図であり、同図には望遠状態であるレンズ鏡筒１を示す。また、図２は、図１に示すレンズ鏡筒１の光軸方向断面図であり、上半分は広角状態を示し、下半分は望遠状態を示す。なお、図２では、鏡筒の本体側部分については、周知のレンズ鏡筒と同様の構成であるため、詳細な構成についての図示を省略している。また、本明細書では、図２における左側を被写体側といい、右側を結像側という。
【００２０】
本実施形態のレンズ鏡筒１は、焦点距離が１５〜３０ｍｍ程度の広角レンズであり、図１及び図２に示すように、マウントを介してカメラ本体（図示せず）に固定される円筒状の固定筒２と、固定筒２の内側に配置された回転筒３と、回転筒３の内側に配置された移動筒４と、複数のレンズ群（第１レンズ群のみを図示）とを備える。複数のレンズ群のうちの第１レンズ群１２は、移動筒４の先端に保持されている。本実施形態のレンズ鏡筒１では、移動筒４が固定筒２に対して光軸方向に移動可能であり、広角操作時には移動筒４が固定筒２に対して被写体側に移動し、望遠操作時には移動筒４が固定筒２に対して結像側に移動してズーミング操作が行われる。
【００２１】
固定筒２は、略円筒状を呈しており、その外周にズームリング１０及びフォーカスリング８が回転可能に設けられている。また、固定筒２の内面には、光軸方向に延びる直進用ガイド溝が形成されている。
回転筒３は、略円筒状を呈しており、周面に光軸方向に対して傾斜し、周方向に貫通したカム溝が形成されている。
【００２２】
移動筒４は、略円筒状を呈しており、固定筒２内に光軸方向に進退（摺動）可能に収容されている。また、コマ６が移動筒４の外面に立設されている。コマ６は、回転筒３に形成されたカム溝を挿通し、先端が固定筒の直進用ガイド溝内に位置している。これにより、移動筒４は固定筒２に対して光軸方向に移動可能であり、かつ、回転が拘束される。
【００２３】
ズームリング１０は、固定筒２に対して光軸を中心として回転可能に設けられている。撮影者がズームリング１０を固定筒２に対して回転させると、回転筒３がズームリング１０とともに回転する。上述の通り、移動筒４は固定筒２に対して回転が拘束されているため、回転筒３が回転されると、移動筒４のコマ６が回転筒３に形成されたカム溝及び固定筒２の直進用ガイド溝に沿って移動することにより、移動筒４が固定筒２に対して光軸方向に進退する。これにより、移動筒４を、図２上半分に示す広角端から図２下半分に示す望遠端まで移動させることができる。
【００２４】
（二重フード構造）
本実施形態のレンズ鏡筒１は、さらに二重フード構造１４を備える。二重フード構造１４は、移動筒４の被写体側の端部に取り付けられた内側フード１８（第２のフード）と、固定筒２の被写体側の端部に取り付けられた外側フード１６（第１のフード）とにより構成される。
【００２５】
外側フード１６は略円筒状を呈しており、結像側の端部がピンにより固定筒２の先端に固定されている。外側フード１６は、上下の縁が被写体側に台形状に進出するとともに、左右の縁は上下の縁に対して結像側に後退しており、いわゆる花形の形状となっている。
【００２６】
内側フード１８は外側フード１６に比べて小径な略円筒状を呈しており、外側フード１６の内側に配置されている。内側フード１８は結像側の端部がピンにより移動筒４の先端に固定されており、内側フード１８と外側フード１６の間には隙間が設けられている。図１及び図２に示すように、内側フード１８の被写体側の前端の縁は、外側フード１６の被写体側の前端の縁と同じ形状となっている。すなわち、内側フード１８も、上下の縁が先端方向に台形状に進出しており、横の部分が結像側に後退している。このように本実施形態では、内側フード１８及び外側フード１６の横の縁が結像側に後退していることにより、撮影時にフードの映り込みを防止できる。
【００２７】
また、内側フード１８の内面には、円周方向に延びるような凹凸形状１８Ａが形成されている。これにより、内側フード１８の内面において反射した光がレンズに入り込むことを防止できる。なお、後述する防塵材２０、２２が内側フード１８の外周面に取り付けられており、この防塵材２０、２２が破損するのを防止するため、外側フード１６の内周面には凹凸形状は形成されていない。
【００２８】
上述したように固定筒２に対してズームリング１０を回転させてズーミング操作を行うと、移動筒４が固定筒２に対して光軸方向に移動するのに伴って、内側フード１８も外側フード１６に対して光軸方向に移動する。
【００２９】
図２の上部に示すように、移動筒４が広角端に位置する状態では、内側フード１８の縁は固定筒２に取り付けられた外側フード１６の縁に対してわずかに（本実施形態では、１、２ｍｍ程度）結像側に位置する。また、移動筒４が望遠端に位置する状態では、内側フード１８の縁は、より外側フード１６の縁に対して結像側に位置している。すなわち、本実施形態のレンズ鏡筒１では、移動筒４の縁が固定筒２の縁に対して、常に結像側に位置している。
【００３０】
（防塵構造）
図３は、図１に示すレンズ鏡筒１の内側フード１８及び外側フード１６の被写体側端部を拡大して示す断面図である。図３に示すように、内側フード１８と外側フード１６の間には、被写体側に設けられた前方の防塵材２０と、結像側に設けられた後方の防塵材２２とが設けられている。これら前方の防塵材２０及び後方の防塵材２２は、ともに、例えばクッション等からなる摩擦布からなり、内側フード１８の外周に取り付けられている。
【００３１】
前方の防塵材２０の厚さは内側フード１８と外側フード１６の間の隙間に比べてわずかに小さく、これにより、前方の防塵材２０の外周面は外側フード１６の内周面には当接せず、前方の防塵材２０の外周面と、外側フード１６の内周面との間にはわずかな隙間が形成されている。また、後方の防塵材２２の厚さは、内側フード１８と外側フード１６との間の隙間の距離に略等しく、後方の防塵材２２の外周面は、外側フード１６の内周面に当接している。前方の防塵材２０の光軸方向の長さは、後方の防塵材２２の光軸方向の長さに比べて非常に大きい。
【００３２】
内側フード１８と外側フード１６の間には隙間が形成されているが、内側フード１８の外周面に前方及び後方の防塵材２０、２２が取り付けられているため、この隙間から砂やほこり等がレンズ鏡筒１の内部に侵入するのを防止できる。
【００３３】
なお、前方の防塵材２０の外周面と外側フード１６の内周面とが当接してしまうと、ズーミング操作の際の抵抗となってしまう。このため、本実施形態では、前方の防塵材２０の外周面と外側フード１６の内周面との間に、わずかな隙間を設けている。
【００３４】
そして、このように前方の防塵材２０の外周面と外側フード１６の内周面との間に隙間が存在すると、小径の砂やほこりがこの隙間を通過する可能性がある。このため、本実施形態では、前方の防塵材２０の軸方向の長さを長くするとともに、前方の防塵材２０の結像側に、内側フード１８と外側フード１６の間の隙間を隙間なく塞ぐように後方の防塵材２２を設けている。そして、本実施形態では、この後方の防塵材２２の光軸方向の長さが、前方の防塵材２０に比べて非常に小さいため、ズーミングの際に大きな抵抗とはならない。
【００３５】
（落下時の作用）
図４は、レンズ鏡筒を落下させた場合に作用する応力を説明するための図であり、図中上半分は本実施形態のレンズ鏡筒１を示し、図中下半分は従来のレンズ鏡筒１０１を示す。なお、同図下半分に示すように、従来のレンズ鏡筒１０１では、固定筒フード１１６が固定筒１０２の前端にのみ取り付けられており、移動筒１０４にはフードは取り付けられていない。
【００３６】
本実施形態のような広角のレンズ鏡筒１、１０１では、第１レンズ群のレンズ１２、１１２に非常に径の大きなレンズが用いられている。このため、このような広角のレンズ鏡筒が落下すると、第１レンズ群のレンズ１２、１１２の自重によりレンズ鏡筒１、１０１の被写体側の端部が下方に向いた状態で落下する。
【００３７】
図４下半分に示すように、従来のレンズ鏡筒１０１が落下した場合には、固定筒１０２の前端に取り付けられたフード１１６が地面に衝突する。これにより、固定筒１０２には地面からの反力が、結像側に向かう応力（図中黒矢印ＦＢで示す）として作用する。地面に衝突した際に、その衝撃でフード１１６が破損又は変形してしまうと、第１レンズ群のレンズ１１２が地面に衝突してしまい、第１レンズ群のレンズ１１２が損傷してしまう。
【００３８】
また、フード１１６が地面に衝突すると、第１レンズ群のレンズ１１２の自重により移動筒１０４には被写体側に向かう慣性力（図中白矢印ＦＡで示す）が作用する。このため、固定筒１０２の内周面に立設され、移動筒１０４のガイド溝内に位置するコマ１０６には光軸方向のせん断力が作用し、コマ１０６がせん断力により破損してしまう。
【００３９】
これに対して、図４上半分に示すように、本実施形態のレンズ鏡筒１が落下した場合には、まず、固定筒２に取り付けられた外側フード１６の先端部が地面に衝突する。この際、本実施形態のレンズ鏡筒１では、内側フード１８の縁が外側フード１６の縁近傍に位置しているため、衝突した際の応力は内側フード１８及び外側フード１６に分散されて作用する。また、後述するように、内側フード１８に地面から作用する応力と、レンズの自重により移動筒４に作用する慣性力が打ち消し合い、コマ６に作用するせん断力を低減できる。このため、内側フード１８及び外側フード１６に作用する応力が小さくなり、これらフード１６、１８及び移動筒４のコマ６が破損するのを防止できる。
【００４０】
また、外側フード１６の先端部のみが衝突した場合には、従来のフードと同様に、外側フード１６に結像側に向かう力が作用する。これにより、外側フード１６が変形又は破損する可能性がある。外側フード１６が変形又は破損した場合には、内側フード１８が地面に衝突する。このように外側フード１６が変形又は破損した場合であっても、内側フード１８が地面と衝突するため、第１のレンズ群のレンズ１２の損傷を防止できる。
【００４１】
また、外側フード１６が変形又は破損し、内側フード１８が地面に衝突した場合には、内側フード１８を介して移動筒４に結像側に向かう応力が作用する。このように内側フード１８が地面に衝突した場合には、第１のレンズ群のレンズ１２の自重により移動筒４には被写体側に向かう慣性力（図中白矢印ＦＡで示す）が作用する。このように、外側フード１６が破損した場合であっても、内側フード１８が地面に衝突したことによる結像側に向かう応力と、レンズの自重による被写体側に向かう慣性力とが作用し、これらの力が打ち消し合う。このため、固定筒２に立設されたコマ６には大きなせん断力が作用せず、コマ６の破損を防止することができる。
【００４２】
以上説明したように、本実施形態は、内側フード１８及び外側フード１６からなる二重フード構造１４を備える。このため、レンズ鏡筒１が落下した場合であっても、内側フード１８と外側フード１６の両者が地面に衝突するため、それぞれのフード１６、１８に作用する衝撃が小さくなり、フード１６、１８の破損を防止することもできる。
【００４３】
また、本実施形態では、内側のフードの外周面に前方及び後方の防塵材２０、２２が設けられ、前方の防塵材２０は後方の防塵材２２よりも軸方向の長さが大きく、かつ、外周面が外側フード１６の内周面に当接しておらず、また、後方の防塵材２２は前方の防塵材２０よりも軸方向の長さが非常に小さく、かつ、外周面が外側フード１６の内周面に当接している。このため、ズーミング操作の際の抵抗を大きくすることなく、外側フード１６と内側フード１８の隙間から砂やほこりがレンズ鏡筒１の内側に入りこむのを防止できる。
【００４４】
また、本実施形態では、内側フード１８の前端部（被写体側端部）が、外側フード１６の前端部の縁形状と等しい縁形状となっている。さらに、移動筒４が広角端に位置した状態においても、内側フード１８の前端縁は外側フード１６の前端縁よりも結像側（カメラ本体側）に位置している。このため、内側フード１８が、光学的性能を損ねることがない。
【００４５】
なお、本実施形態では、本発明のレンズ鏡筒を焦点距離が１５〜３０ｍｍ程度の広角レンズを例として説明したが、これに限らず、焦点距離が上記の範囲外の広角レンズや望遠レンズ等にも適用できる。
【００４６】
また、本実施形態では、移動筒４が最も被写体側に移動した状態において、内側フード１８の前端縁が、外側フード１６の前端縁よりも結像側に位置する場合について説明したが、これに限らず、移動筒が最も被写体側に移動した状態において、内側フード１８の前端縁が、外側フード１６の前端縁よりも被写体側に位置してもよい。
【００４７】
また、本実施形態では、一つの固定筒２、及び、一つの移動筒４を備えたレンズ鏡筒について説明したが、本発明はこれに限らず、複数の固定筒、及び、複数の移動筒を備えたレンズ鏡筒においても適用可能である。
【００４８】
なお、本実施形態では、外側フード１６が固定筒２に取り付けられ、内側フード１８が移動筒４に取り付けられている構成を例に説明したが、本発明はこれに限定されるものではない。例えば、内側フード１８は、外側フード１６に取り付けられていてもよいし、外側フード１６と共に固定筒２に取り付けられていてもよい。
【００４９】
また、内側フード１８が外側フード１６に取り付けられている場合、内側フード１８は、外側フード１６に対して固定されていてもよいし、光軸方向に移動可能に設けられていてもよい。
【００５０】
このような場合であっても、フードが二重に設けられていることにより、レンズ鏡筒１が落下した際に外側フード１６及び内側フード１８の２つのフードによりレンズを保護することができるため、レンズ鏡筒１の落下による第１レンズ群のレンズ１２の損傷を防止することができる。
【００５１】
なお、上述のようにフードが二重に設けられたレンズ鏡筒を備える撮像装置も、本発明の範疇に入る。撮像装置としては、例えば、レンズ鏡筒を取り外し可能なカメラ、及び、レンズ鏡筒と一体に構成されたカメラなどを挙げることができるが、これに限定されるものではない。
【産業上の利用可能性】
【００５２】
本発明にかかるレンズ鏡筒は、例えば、カメラ本体と一体にカメラを構成するレンズ鏡筒、及び、カメラ本体から取外し可能な交換レンズのレンズ鏡筒などに好適に適用することができる。
【符号の説明】
【００５３】
１  レンズ鏡筒
２  固定筒
３  回転筒
４  移動筒
６  コマ
８  フォーカスリング
１０  ズームリング
１２  第１レンズ群のレンズ
１４  二重フード構造
１６  外側フード（第１のフード）
１８  内側フード（第２のフード）
２０  前方の防塵材
２２  後方の防塵材
【図１】
2016102898.tif 000003
【図２】
2016102898.tif 000004
【図３】
2016102898.tif 000005
【図４】
2016102898.tif 000006